(57)【要約】      （修正有）【課題】ファッションコーディネーションのアドバイスを求める利用者とそのアドバイスをするファッションアドバイザーとの仲介をする電子ファッションコーディネーションシステムを提供すること。【解決手段】利用者とファッションアドバイザーの仲介を行う電子ファッションコーディネーションシステムであって、利用者またはファッションアドバイザーの端末と接続する通信手段と、利用者の基本情報を登録する手段と、利用者の所有物の画像を登録する手段と、利用者またはファッションアドバイザーからのメッセージを受信する手段と、利用者またはファッションアドバイザーが登録された画像を選択する手段と、前記基本情報、所有物の画像、メッセージ、および画像の選択を記憶するデータベースと、登録または選択された画像およびメッセージを利用者またはファッションアドバイザーの端末に表示させる手段と、を有することを特徴とする。【選択図】    図１
2005018518.tif 000002
【特許請求の範囲】
【請求項１】
利用者とファッションアドバイザーの仲介を行う電子ファッションコーディネーションシステムであって、
利用者またはファッションアドバイザーの端末と接続する通信手段と、
利用者の基本情報を登録する基本情報登録手段と、
利用者の所有物の画像を登録する画像登録手段と、
利用者またはファッションアドバイザーからのメッセージを受信するメッセージ受信手段と、
利用者またはファッションアドバイザーが登録された画像を選択する画像選択手段と、
前記基本情報、所有物の画像、メッセージ、および画像の選択を記憶するデータベースと、
登録または選択された画像およびメッセージを利用者またはファッションアドバイザーの端末に表示させる情報送信手段と、
を有することを特徴とする電子ファッションコーディネーションシステム。
【請求項２】
前記画像選択手段は、複数種類の所有物についてそれぞれ選択可能であって、
前記データベースに記憶する画像の選択とは複数種類の所有物の画像の選択のセットであって、
前記情報送信手段は、選択された複数種類の所有物の画像を抽出し、一括して表示することを特徴とする請求項１記載の電子ファッションコーディネーションシステム。
【請求項３】
前記情報送信手段は、選択された複数種類の所有物の画像を一括して表示する際に、３次元画像にて表示することを特徴とする請求項２記載の電子ファッションコーディネーションシステム。
【請求項４】
前記通信手段は、さらに店舗の端末と接続し、
店舗の在庫の商品についての在庫情報を登録する商品情報登録手段を有し、
前記データベースは、さらに前記店舗の在庫の商品についての画像および属性情報について記憶し、
前記情報送信手段は、前記店舗の在庫の商品についての画像および属性情報についても、利用者またはファッションアドバイザーの端末に表示させることを特徴とする請求項１記載の電子ファッションコーディネーションシステム。
【発明の詳細な説明】
【０００１】
【発明の属する技術分野】
本発明は、個人がファッションアドバイザーによるアドバイスを容易に受けることができるようにするシステムに関するものである。
【０００２】
【従来の技術】
ファッションは抽象的な嗜好であり、絶対的な価値判断は存在しない。一方、当人の趣向を問われたり、礼儀作法が問われる場面など、ファッションが重要視される場面も多い。
【０００３】
そのような場合に、よほどファッションについて精通しているものでなければ、自己のファッションが適切であるかの判断は困難である。そして自分一人で考えていたのでは解決できないため、一般的には家族や友人など身の回りの人間に相談することが考えられるが、たいていは身の回りの人間のファッションに対する知識も同程度と考えられ、確信を得るには至らないと考えられる。特に、トップ、ボトム、靴や小物に至るトータルのコーディネートは適切かとか、ＴＰＯ（ｔｉｍｅ，  ｐｌａｃｅ  ａｎｄ  ｏｃｃａｓｉｏｎ）にあっているかなどの判断を適切に判断することは不可能に近い。また、次々と変化する流行に追従していくことも、なかなか困難なことである。
【０００４】
【発明が解決しようとする課題】
ここで、誰かファッションに詳しい者、可能であれば専門家によるアドバイスを受けることができればよいと、誰しもが要望するところである。しかし人前に出ることを職業にするのでもなければ、いわゆるスタイリストと契約するなどということも現実的でない。すなわち頻度と必要性に対してコストが見合わないのである。
【０００５】
また美容院などの店舗においてファッションに関するアドバイスをしてくれる場所があるとしても、そこまで出かけて行かなくてはならず、大仰であってかつ即時性がない。また、その場に持っていった所有物の中での選択は考えられるが、すべての所有物を持っていけるはずもなく、選択肢の幅が極めて狭いこととなる。
【０００６】
一方、アドバイスを受けたい当人にとっても、タンスや衣装箱にしまってしまった所有物を把握できない場合があり、ほとんど使用することのないデッドストックが発生する場合がある。そのような所有物の中にも、用いれば有効なものも多くあると考えられる。
【０００７】
そこで本発明は、ファッションコーディネーションのアドバイスを求める利用者とファッションコーディネーションのアドバイスをする専門家たるファッションアドバイザーとの仲介をし、簡易、低価格かつ任意の時にアドバイスを受けることができ、かつ所有物を有効に活用することのできる電子ファッションコーディネーションシステムを提供することを目的としている。
【０００８】
【課題を解決するための手段】
上記課題を解決するために、本発明に係る電子ファッションコーディネーションシステムの代表的な構成は、利用者とファッションアドバイザーの仲介を行う電子ファッションコーディネーションシステムであって、利用者またはファッションアドバイザーの端末と接続する通信手段と、利用者の基本情報を登録する基本情報登録手段と、利用者の所有物の画像を登録する画像登録手段と、利用者またはファッションアドバイザーからのメッセージを受信するメッセージ受信手段と、利用者またはファッションアドバイザーが登録された画像を選択する画像選択手段と、前記基本情報、所有物の画像、メッセージ、および画像の選択を記憶するデータベースと、登録または選択された画像およびメッセージを利用者またはファッションアドバイザーの端末に表示させる情報送信手段と、を有することを特徴とする。
【０００９】
これにより、利用者は簡易、低価格かつ任意の時に専門家たるファッションアドバイザーからのアドバイスを受けることができ、また所有物全体を選択肢としてアドバイスを受けることができるため、所有物を有効に活用することができる。
【００１０】
また、前記画像選択手段は、複数種類の所有物についてそれぞれ選択可能であって、前記データベースに記憶する画像の選択とは複数種類の所有物の画像の選択のセットであって、前記情報送信手段は、選択された複数種類の所有物の画像を抽出し、一括して表示することを特徴とする。これにより、全体的なコーディネートを一見して把握することができ、利用者およびファッションアドバイザーの双方にとって利便性を向上させることができる。
【００１１】
また、前記情報送信手段は、選択された複数種類の所有物の画像を一括して表示する際に、３次元画像にて表示することを特徴とする。これにより、全体的なコーディネートをより現実に近い状態で把握することができ、利用者およびファッションアドバイザーの双方にとって利便性を向上させることができる。
【００１２】
また、前記通信手段は、さらに店舗の端末と接続し、店舗の在庫の商品についての在庫情報を登録する商品情報登録手段を有し、前記データベースは、さらに前記店舗の在庫の商品についての画像および属性情報について記憶し、前記情報送信手段は、前記店舗の在庫の商品についての画像および属性情報についても、利用者またはファッションアドバイザーの端末に表示させることを特徴とする。これにより、利用者またはファッションアドバイザーは、利用者の所有物に不足する物品を店舗の商品から補充して、所望のコーディネーションを完成させることができる。
【００１３】
【発明の実施の形態】
［第一実施形態］
本発明に係る電子ファッションコーディネーションシステムの第一実施形態について説明する。図１はシステムの全体構成図、図２はシステムの内部構成図である。
【００１４】
図１に示すように、本発明に係る電子ファッションコーディネーションシステム（以下単にシステムという）を実行するサーバー１は、データベース２を有し、インターネットなどのネットワーク５を介して、利用者の端末３およびファッションアドバイザーの端末４に接続されている。
【００１５】
利用者とは本システムを利用する者をいう。図には端末３を一つしか示していないが、多数の利用者が本システムに登録し、利用する。ファッションアドバイザーとはファッションコーディネーションのアドバイスをする専門家をいうが、専業として従事することを要しない。また利用者と同様に、図には端末４を一つしか示していないが、多数のファッションアドバイザーが本システムを介して利用者にアドバイスを行う。
【００１６】
ネットワーク５は現時点においてはもっとも普及しているインターネットを用いることが考えられる。しかし後述するように少なからず個人的な情報の送受信も行うことから、電話回線やＩＳＤＮ網を用いてサーバー１に直接接続するよう構成しても良い。
【００１７】
図２に示すように、サーバー１とデータベース２とは協働して動作する。ここでサーバー１とは所定の機能を有するソフトウェアであり、データベース２とはデータの構造体である。これらは単一のコンピュータ装置にて実行させることも可能であるが、複数のコンピュータ装置に分けて実装することでも良い。
【００１８】
サーバー１のソフトウェアが有する各機能を手段として説明すれば、サーバー１はまず通信手段１０を有している。通信手段１０は接続するネットワーク５に応じたものを用いており、例えばネットワーク５がインターネットであればＴＣＰ／ＩＰプロトコル、電話回線であれば無手順プロトコルなどを用いる。またサーバー１には、基本情報登録手段１１、画像登録手段１２、メッセージ受信手段１３、画像選択手段１４、情報送信手段１５を有している。これらについての具体的な機能および動作については後述する。
【００１９】
またサーバー１からは、データベースエンジン１９を介してデータベース２に接続される。データベース２には、基本情報２０、デジタルトランク２１、画像選択情報２２、メッセージ２３などが格納される。基本情報２０には、体型の数値や顔のタイプ、髪型、好みの雑誌などの個人的な情報が含まれる。デジタルトランク２１とはシステム上に形成される仮想的なトランクであって、服や装飾品などの所有物の画像とあわせて、その所有物の購入年、クリーニング回数などの付随情報を格納する。
【００２０】
次に、図３および図４に示すフローチャートに沿って、上記構成を有するシステムの動作について説明する。図３は登録時のシステムの動作を説明するフローチャート、図４は逐次動作時のシステムの動作を説明するフローチャート、図５〜図１３はシステムを操作する画面例を示す図である。まず利用者は、システムを利用するに際し、図５に示すような画面からシステムにログインする（Ｓ１０）。このとき、未だ会員登録を行っていない場合、図５に示す画面下部のリンク３０に関連づけられた登録画面へと移動する。
【００２１】
そして会員登録の画面（不図示）にて氏名、住所などの所定の情報を登録（Ｓ１１）した後に、図６に示すような基本情報入力画面（基本情報登録手段１１）から、ファッションや嗜好に関する様々な情報を入力する（Ｓ１２）。これはファッションアドバイザーがコーディネートのアドバイスをする際に必要な情報、参考となる情報であり、例えば年齢、身長、体重、バストサイズ、ウエストサイズ、ヒップサイズ、足のサイズ、髪型、色の好み、好きな素材、好きなブランド、好きな芸能人（タレント）、日焼け対策、購読雑誌等情報などである。送信された基本情報２０は、データベース２に格納される。
【００２２】
会員登録および基本情報を登録すると、図７に示す如きメニュー画面が表示される。このときシステム内では、空のデジタルトランク２１が形成される（Ｓ１３）。なお、図７に示すメニューのリンク３６からいつでも図６に示す基本情報入力画面に移動することができ、基本情報のデータを修正することが可能である。
【００２３】
そして利用者は、リンク３４から不図示の画像登録画面（画像登録手段１２）へ移動し、自己の所有する洋服、靴箱にある靴、バッグや宝石などの装飾品をデジタルカメラで撮影し、もしくは写真をスキャナで読み込んで電子データ化し、サーバー１に対して送信、登録する（Ｓ１４）。送信された画像および購入年、クリーニング回数などの情報は、データベース２のデジタルトランク２１に登録される。登録した画像は、図７に示すメニューのリンク３３から、図８に示すアイテム一覧画面（情報送信手段１５）へと移動することにより、表示することができる。なお、デジタルトランク２１の内容は、随時追加、修正が可能となっている。システムを利用するための準備動作は以上である。
【００２４】
逐次の利用に際し、例えば結婚式などの外出がある場合に、利用者はシステムを利用してコーディネーションのアドバイスを受けたいとする。すると利用者はシステムにログインし（Ｓ２０）、図７に示すメニューのリンク３１から、図９および図１０に示すコーディネート画面（画像選択手段１４）へ移動し、デジタルトランク２１に既に登録された画像からアイテムを選択し、自分の考えるコーディネーションを作成する（Ｓ２１）。選択可能な項目としては外套、トップ、ボトム、靴、その他小物などがあるが、一部を選択するのみでも良い。
【００２５】
ここで画像の選択は、それぞれのアイテム一覧において、いずれかを選択状態として表示することも可能である。しかし本実施形態においては、図９および図１０に示すように、選択された複数種類の所有物の画像を抽出し、一括して表示することにより、コーディネーションの把握を容易としている。
【００２６】
またコーディネート画面にはコメント入力部分（メッセージ受信手段１３）を設けており、外出のＴＰＯの説明や、自己のコーディネーションについての方針などを入力する。また場合によっては、不図示の画面から、ファッションアドバイザーを指定する。これらの画像の選択、メッセージなどは、データベース２の画像選択情報２２に格納する（Ｓ２２）。
【００２７】
次に、ファッションアドバイザーが端末４からサーバー１にログインし（Ｓ２３）、不図示の画面からアドバイスの依頼を選択すると、図１１に示す如きメニュー画面が表示される。そしてリンク３９から移動する不図示の画面により基本情報などの個人データを参照（Ｓ２４）した上で、リンク３７から図１２に示すコーディネート画面に移動する。また、リンク３８からは不図示の画面により過去のアドバイスを参照することも可能となっている。
【００２８】
そして画像選択情報２２に格納された利用者のコーディネーションやＴＰＯ、および基本情報２０に登録された利用者の基本情報（好み、傾向、体型など）に基づいて、図１２に示すように、デジタルトランク２１に登録された利用者の他のアイテム画像から適切なコーディネーションを作成する（Ｓ２５）。またコーディネート画面には、文章によるアドバイスの入力部分（メッセージ受信手段１３）を設けている。ファッションアドバイザーによる画像の選択、およびコメントは、画像選択情報２２としてデータベース２に格納する（Ｓ２６）。
【００２９】
後に利用者は、ふたたびサーバー１にログインし、ファッションアドバイザーによるコメントを参照する（Ｓ２７）。なお、ファッションアドバイザーによるコーディネーションが作成された時点で、利用者に対してメール送信を行うことが好ましい。利用者は図７に示すメニューのリンク３２から、図１３に示すアドバイス表示画面（情報送信手段１５）へと移動する。アドバイス表示画面には、自己のコーディネーションおよびコメントと、ファッションアドバイザーによるコーディネーションおよびコメントが表示される。利用者は、提供されたコーディネーションをもとに自らのコーディネーションをアレンジし直すことができる。なお、過去のアドバイスについてもリンク３５に関連づけられた不図示の画面により参照することができる。
【００３０】
上記のごとく構成したことにより、利用者はいずれか特定の店舗などに出向くことなく、簡便に専門家たるファッションアドバイザーのアドバイスを受けることができる。またアドバイスの必要性の頻度が低い一般的な人であっても契約を保持することができると共に、必要なときには即時的にアドバイスを得ることができるという利便性を有している。また、ファッションアドバイザーの数に対して多くの利用者を割り当てることができるため、利用者に対する課金を低廉に抑えることができるため、低価格にてシステムの利用を提供することができる。
【００３１】
さらには、所有する服や小物などを一覧にすることから、しまいこんでいた所有物を再発見することにもなり、所有物を有効に活用することができる。また、デジタルトランク２１において衣服のクリーニング回数を入力、更新することにより、所有物の寿命を本システムを用いて管理することも可能となる。例えば、クリーニング回数が５回を越えたらコーディネーションに使用するのを控えたり、１０回を越えたら廃棄を促したりするなどである。
【００３２】
なお上記各図面においてコーディネーションの一括表示は、各アイテムの画像を羅列したものである。しかしこれを３次元表示とし、立体的に表示することにより、利用者およびファッションアドバイザーにとってコーディネーションの把握を用意とすることができる。平面画像を３次元表示とすること自体は既存の技術であるため詳しくは説明しないが、例えばソリッドモデルにテクスチャマッピングするなどが挙げられる。なおソリッドモデルの寸法は入力された基本情報に沿って変更することも考えられるが、システムの煩雑性と視覚的効果を比較考量すれば、一般的な寸法とすることでかまわない。
【００３３】
［第二実施形態］
次に、本発明に係る電子電子ファッションコーディネーションシステムの第二実施形態について説明する。図１４は本実施形態に係るシステムの全体構成図、図１５はシステムの内部構成図、図１６は逐次動作時のシステムの動作を説明するフローチャートであって、第一実施形態と説明の重複する部分については同一の符号を付して説明を省略する。本実施形態は、システムにさらに商品の販売を行なう店舗が加わったものである。
【００３４】
図１４に示すように、サーバー１には、ネットワーク５を介してシステムに加入する店舗の端末６が接続可能となっている。また図１５に示すように、サーバー１はその機能として商品情報登録手段１６を備えており、店舗が端末６から在庫の商品の画像および属性情報（商品種別、サイズ、色等）、店舗の地域などを入力可能となっている。入力された商品の画像および属性情報は商品情報２４としてデータベース２に格納される。サーバー１は利用者またはファッションアドバイザーからの要求に応じて商品情報２４にアクセスし、属性情報に応じて商品を抽出して、図１０に示したコーディネート画面（画像選択手段１４）に表示可能となっている。
【００３５】
図１６は逐次動作時のシステムの動作を説明するフローチャートである。図４と説明の重複する部分については同一のステップ番号を付して説明を省略する。
【００３６】
まず、上記図４を用いて説明した如く、利用者がコーディネーションを作成し、アドバイザーがこれを参照してコーディネーション（コメント、および必要に応じて修正した画像選択）を作成する（Ｓ２０〜Ｓ２７）。一方、システムに加入する店舗は、端末６からサーバー１にアクセスし、商品の在庫の画像および属性情報をデータベース２の商品情報２４に格納しておく（Ｓ２８）。
【００３７】
ここで、Ｓ２５で作成されたアドバイザーからのコメントに、利用者のデジタルトランク２１にないアイテム（新規の洋服、帽子、靴、バッグなど）がアドバイスされていた場合において、利用者が再コーディネートの要請をすると（Ｓ２９）、アドバイザーは再び基本情報を参照すると共に、あわせて商品情報２４を参照し（Ｓ３０）、コーディネーションを再生成して（Ｓ３１）、データベース２の画像選択情報２２にコーディネーションを格納する（Ｓ３２）。利用者は格納されたコメントを参照することにより（Ｓ３３）、アドバイザーの勧めるアイテムがどのようなものであるかを具体的に知ることができる。
【００３８】
また、そのようなアイテムが手に入る店舗の情報をあわせて知ることができるため、利用者はその商品画像に対応して関連づけられた販売ページを参照し、店舗に対して発注を行なうことができる（Ｓ３４）。なおシステムとしては、商品の販売は利用者と店舗の間に任せることもでき、また販売を仲介することも可能である。仲介を行なう場合には、取引や支払いの安全性や確実性、および複数店舗からの一括購入の際の利便性などを向上させることができる。このようにして、利用者は自分にあった満足のいくアイテムを得ることができ、店舗は有効に商品を販売することができ、またアドバイザー（システム）としては顧客満足度を向上させて利用を促進することができるため、いずれの者にとっても利点を有している。
【００３９】
なお、上記図１６に示したフローチャートにおいては、アドバイザーは利用者からの要請（Ｓ２９）によって初めて商品情報を参照しているが（Ｓ３０）、最初にコーディネーションを作成する段階（Ｓ２４）から基本情報と共に商品情報を参照することでも良い。
【００４０】
【発明の効果】
上記説明した如く、本発明に係る電子ファッションコーディネーションシステムにおいては、ファッションコーディネーションのアドバイスを求める利用者とファッションコーディネーションのアドバイスをする専門家たるファッションアドバイザーとの仲介をし、簡易、低価格かつ任意の時にアドバイスを受けることができ、かつ所有物を有効に活用することができる。
【００４１】
またさらに店舗との仲介も行い、商品をコーディネーションの材料として用いることにより、コーディネーションの柔軟性を高めて所望のコーディネーションを完成させることができる。
【図面の簡単な説明】
【図１】システムの全体構成図である。
【図２】システムの内部構成図である。
【図３】登録時のシステムの動作を説明するフローチャートである。
【図４】逐次動作時のシステムの動作を説明するフローチャートである。
【図５】ログイン画面の例を示す図である。
【図６】基本情報入力画面の例を示す図である。
【図７】利用者のメニュー画面の例を示す図である。
【図８】アイテム一覧画面の例を示す図である。
【図９】コーディネート画面の例を示す図である。
【図１０】コーディネート画面の例を示す図である。
【図１１】ファッションアドバイザーのメニュー画面の例を示す図である。
【図１２】ファッションアドバイザーのコーディネート画面の例を示す図である。
【図１３】アドバイス表示画面の例を示す図である。
【図１４】第二実施形態に係るシステムの全体構成図である。
【図１５】システムの内部構成図である。
【図１６】逐次動作時のシステムの動作を説明するフローチャートである。
【符号の説明】
１        …サーバー
２        …データベース
３        …利用者の端末
４        …ファッションアドバイザーの端末
５        …ネットワーク
１０        …通信手段
１１        …基本情報登録手段
１２        …画像登録手段
１３        …メッセージ受信手段
１４        …画像選択手段
１５        …情報送信手段
１９        …データベースエンジン
２０        …基本情報
２１        …デジタルトランク
２２        …画像選択情報
２３        …メッセージ
３０〜３９        …リンク
【図１】
2005018518.tif 000003
【図２】
2005018518.tif 000004
【図３】
2005018518.tif 000005
【図４】
2005018518.tif 000006
【図５】
2005018518.tif 000007
【図６】
2005018518.tif 000008
【図７】
2005018518.tif 000009
【図８】
2005018518.tif 000010
【図９】
2005018518.tif 000011
【図１０】
2005018518.tif 000012
【図１１】
2005018518.tif 000013
【図１２】
2005018518.tif 000014
【図１３】
2005018518.tif 000015
【図１４】
2005018518.tif 000016
【図１５】
2005018518.tif 000017
【図１６】
2005018518.tif 000018